(57)【要約】【課題】簡易な機構により塵芥を上部に設けた投入口を通じて貯留槽に安定的に投入することができるとともに、故障も少ない塵芥投入装置を提供する。【解決手段】貯留槽２に上部に設けられた投入部２１を通じて塵芥を投入する塵芥投入装置１であって、上記塵芥を収容する収容箱４が、下方の収容位置と、上記投入部を通じて塵芥を投入する上方の投入位置との間で所定角度旋回自在に設けられている。前記収容箱４が対称位置に２個設けられている。【選択図】  図１
2005104611.tif 000002
【特許請求の範囲】
【請求項１】
貯留槽に上部に設けられた投入部を通じて塵芥を投入する塵芥投入装置であって、
上記塵芥を収容する収容箱が、下方の収容位置と、上記投入部を通じて塵芥を投入する上方の投入位置との間で所定角度旋回自在に設けられたことを特徴とする塵芥投入装置。
【請求項２】
前記収容箱が対称位置に２個設けられたことを特徴とする請求項１記載の塵芥投入装置。
【発明の詳細な説明】
【技術分野】
【０００１】
本発明は、上部に設けられた投入部を通じて貯留槽に塵芥を投入する塵芥投入装置に関する。
【背景技術】
【０００２】
従来、この種の塵芥投入装置としては、ゴミ容器を地上からポストに沿って上方に持ち上げ、当該上方においてゴミ容器をその上部開口が貯留槽の投入部に臨むようにガイドによって反転させることにより、ゴミ容器内の塵芥を上部の投入部を通じて貯留槽に投入する装置が提供されている（例えば、特許文献１参照）。
【特許文献１】特開平６−２１９５０３号公報
【発明の開示】
【発明が解決しようとする課題】
【０００３】
しかしながら、上記従来のものでは、ゴミ容器を昇降させる昇降機構や反転させる反転機構が複雑になり、大掛りなものになるとともに、故障の要因になる可能性が高くなるという問題があった。
【０００４】
本発明は、上記問題点に鑑みてなされたもので、その目的とするところは、簡易な機構により塵芥を上部に設けた投入部を通じて貯留槽に安定的に投入することができるとともに、装置がより省スペース化され装置全体の設置スペースを小さくすることができ有効的なスペースを提供することにある。
【課題を解決するための手段】
【０００５】
上記の目的を達成するため、請求項１に係る発明の塵芥投入装置は、貯留槽に上部に設けられた投入部を通じて塵芥を投入する塵芥投入装置であって、上記塵芥を収容する収容箱が、下方の収容位置と、上記投入部を通じて塵芥を投入する上方の投入位置との間で所定角度旋回自在に設けられたものである。
【０００６】
請求項２に係る発明の塵芥投入装置は、前記収容箱が対称位置に２個設けられたものである。
【発明の効果】
【０００７】
本発明によれば、収容箱を下方の収容位置から上方の投入位置に所定角度旋回させて配置することで、簡易な機構によって当該収容箱に収容した塵芥を上部に設けた投入部を通じて貯留槽に安定的に投入することができるとともに、装置がより省スペース化され装置全体の設置スペースを小さくすることができ有効的なスペースを提供することができる。
【発明を実施するための最良の形態】
【０００８】
以下、本発明の実施の形態について図面を参照して説明する。
【０００９】
図１及び図２は、本発明の塵芥投入装置を示している。
【００１０】
塵芥投入装置１は、上部に設けられた投入部としての投入ホッパ２１を通じて貯留槽２に塵芥を投入するためのものである。
【００１１】
上記貯留槽２としては、例えば図示例のようにドラムが水平軸回りに回転自在に設けられており、塵芥投入装置１によって一端部上方に設けた投入ホッパ２１に投入した塵芥をシュート２２を通じてドラム内に導入し、このドラムの回転動作により内部に設けたブレードの作用で投入ホッパ２１と反対側の排出口側に搬送して圧縮しながら貯留し、貯留した塵芥を排出口から適宜に排出するようにしている。
【００１２】
ところで、塵芥投入装置１は、旋回フレーム３と、旋回フレーム３の両端部に連設された２個の収容箱４とを備えている。
【００１３】
旋回フレーム３は、左右２本の連結アーム３１がその中央部で連結部材３２によって連結された枠状体であり、当該中央部が貯留槽２側である固定側に設けた中心軸３３に回転自在に支持されている。そして、この旋回フレーム３の中央部がスプロケット及びチェーンからなる伝達機構３４を介して駆動モータ３５に連繋されており、当該駆動モータ３５の正逆方向への回転駆動により旋回フレーム３を正逆方向に１８０°旋回させることで、上下に配置された２個の収容箱４を交互に下方の収容位置と、上方の投入位置とに配置するようにしている。
【００１４】
収容箱４は、前面の傾斜面に投入口４１が形成されるとともに、上面が開口４２されている。また、収容箱４が上方の投入位置に向けて旋回される際の旋回方向と逆側の側部が膨出されて膨出部４３を形成しており、この膨出部４３の上部傾斜面４３ａが上記投入口４１に連なっている。
【００１５】
そして、このようにして形成された収容箱４の両側面が前記旋回フレーム３の両端部に連設されている。
【００１６】
また、収容位置に配置された収容箱４の投入口４１の前方には投入部５（図２参照）が設けられている。投入部５は、塵芥投入装置１の前方に配置された隔壁Ａの下部に設けられており、当該隔壁Ａに形成された投入口５１が開閉蓋５２により開閉自在に設けられるとともに、投入口５１に前記収容箱４の投入口４１と対峙してシュート５３が設けられ、開閉蓋５２の開放により塵芥を投入口５１、シュート５３を通じて収容箱４に収容するようになされている。
【００１７】
次に、このように構成された塵芥投入装置１による貯留槽２への塵芥の投入動作について説明する。
【００１８】
図１に示すように膨出形成された膨出部４３が右側となっている一方の収容箱４が収容位置に配置されている状態で、隔壁Ａの前方において開閉蓋５２を開放して投入口５１に塵芥を投入し、シュート５３、投入口４１を通じて当該塵芥を収容箱４内に収容する。
【００１９】
このように塵芥を収容箱４に収容すると、駆動モータ３５を回転駆動させて旋回フレーム３を図１において時計回りの方向に１８０°旋回させることで、この収容箱４を上方の投入位置に配置する。
【００２０】
この際、塵芥は収容箱４の旋回に伴ってこの旋回方向と反対側になる側部４３側に移動することによって、投入口４１及び上面開口４２から外部に落下することなく、投入位置まで搬送され、当該投入位置において逆向きに配置された収容箱４の上面開口４２から投入ホッパ２１を通じて貯留槽２に投入される（図３参照）。
【００２１】
そして、このようにして一方の収容箱４を投入位置に配置して当該収容箱４内の塵芥を貯留槽２に投入すると、反対側の他方の収容箱４が側部４３が左側になった状態で収容位置に配置され、この他方の収容箱４に塵芥を同様にして収容して今度は駆動モータ３５を逆方向に回転駆動させて図１において反時計回りの方向に旋回させる。これにより塵芥が旋回方向と反対側になる側部４３側に移動しながら投入口４１及び上面開口４２から外部に落下することなく投入位置まで搬送され、当該投入位置において前述と同様にして貯留槽２に投入される。
【００２２】
この反転動作を交互に繰り返して行うことで塵芥を貯留槽２に順次投入することができる。
【００２３】
なお、収容箱４の旋回作動は、開閉蓋５２の一回ごとの開閉動作に連動して行うようにすれば良い。また、開閉蓋５２を予め設定した適数回開閉した時に収容箱４の旋回作動を行うようにしても良い。つまり、開閉蓋５２の一回の開放による塵芥の投入可能量から全体の投入量を概算できるので、これを収容箱４の貯留容積と照らし合わせることによって旋回時に塵芥が落下しない程度に収容されるであろう開閉蓋５２の開閉回数を設定すればよい。さらに、スイッチ操作によって収容箱４の旋回作動を行うようにしてもよい。
【００２４】
また、上下２個の収容箱４を収容位置と投入位置とに配置するための位置決めは、リミットスイッチ、近接スイッチや光電センサなどの検出装置の検出などによって行うようにしている。
【００２５】
さらに、収容箱４の旋回動作時には開閉蓋５２を閉塞状態で固縛して開放による塵芥の投入を阻止する必要がある。
【００２６】
このような簡易な機構によって収容箱４に収容した塵芥を投入ホッパ２１を通じて貯留槽２に順次投入することができるとともに、装置がより省スペース化され装置全体の設置スペースを小さくすることができ有効的なスペースを提供することができる。
【００２７】
また、下方の収容位置に配置した収容箱４に塵芥を収容するようにしているため、投入部５の塵芥投入位置を極力低くすることができ、これにより塵芥の投入が容易になりバリアフリーにも対応することができる。
【００２８】
さらに、隔壁Ａにより塵芥投入装置１を外部と区画していることで、収容箱４の旋回作動に対しても高い安全性を確保することができる。
【００２９】
図４は、本発明の塵芥投入装置の他の構成を示している。
【００３０】
この塵芥投入装置１は、前述したような膨出形成した側部４３を無くしたコンパクトな収容箱４′によって塵芥を貯留槽２に投入するようにしたもので、他の構成は前述した塵芥投入装置１と同様であり、同部材には同符号を付して説明は省略する。
【００３１】
この場合、収容箱４の旋回時に塵芥が投入口４１から落下することがないように防止手段を講じる必要がある。この防止手段としては、例えば一点鎖線で示すように収容位置でのみ投入口４１を開放する遮蔽盤６を投入口４１の旋回軌跡に沿って設ければ良い。つまり、収容位置部分で切欠いた環状の遮蔽盤６を投入口４１の傾斜に合わせてすり鉢状に配置する。
【００３２】
これにより旋回途中において投入口４１から塵芥が落下することなく収容箱４′を投入位置に旋回させることができ、この投入位置において前述した塵芥投入装置１と同様に上面開口４２から塵芥を貯留槽２に投入することができる。また、他の防止手段としては、投入口４１に開閉蓋を設け、収容位置に達したときにのみアクチュエータなどによって連動して開放するように構成してもよい。
【００３３】
また、この塵芥投入装置１では、収容箱４′の旋回方向を正逆方向でなく１８０°ピッチで一定方向に旋回させてもよい。
【００３４】
なお、上述した実施形態は、あくまでも本発明の好適な実施態様を示すものであって、本発明はこれに限定されることなく、その範囲内において種々設計変更可能である。
【００３５】
例えば、塵芥投入装置１によって塵芥を投入する貯留槽２は、回転自在なドラムに限らず、収容箱４を上方の投入位置に配置した際に上部の投入部から塵芥を内部に投入するものであれば何でもよい。
【００３６】
また、上下２個の収容箱を交互に旋回作動させるものについて述べたが、収容箱４は１個でも良く、さらに旋回方向に複数個を配置したものであってもよい。
【図面の簡単な説明】
【００３７】
【図１】本発明の塵芥投入装置の構成を示す正面図である。
【図２】本発明の塵芥投入装置の構成を示す側面図である。
【図３】収容箱の旋回動作を示す正面から見た概略図であり、（ａ）が旋回途中の状態、（ｂ）が投入位置に配置された状態を示している。
【図４】本発明の塵芥投入装置の他構成を示す正面図である。
【符号の説明】
【００３８】
１  塵芥投入装置
２  貯留槽
２１  投入ホッパ（投入部）
３  旋回フレーム
４  収容箱
【図１】
2005104611.tif 000003
【図２】
2005104611.tif 000004
【図３】
2005104611.tif 000005
【図４】
2005104611.tif 000006